(57)【要約】【課題】簡単な操作で、製版用、プリント用のキー信号の割り当てを自動的に切り替え得る画像形成装置の操作部構造を提供する。【解決手段】操作パネル１の一部を着脱式のカバー１０とし、製版スタートキー１１とプリントスタートキー１２を露出させる一対の円形穴１３、１４と、固定用の爪形状部１５、１６を設ける。操作パネル１のカバー１０を着脱する凹部１７には爪形状部１５、１６を差し込むための穴１８、１９を設け、ネジ等を使わずにカバー１０を凹部１７に対して着脱可能とする。カバー１０の端縁に、硬貨等で簡単に取り外し操作ができるようにするための凹部２０を設ける。このカバー１０を外して製版スタートキー１１とプリントスタートキー１２を入れ替えるだけで、複写機と印刷機の各ユーザーが機能を切り替え操作等を行わずに最適なキー配列を任意に選択できる。【選択図】　　　　図２
2004098618.tif 000002
【特許請求の範囲】
【請求項１】
複写機としての機能と印刷機としての機能の双方を有する画像形成装置に用い、上記両機能用の２つのスタートキーの入れ替えにより所望のキー配列を任意に選択してキー信号の割り当てを自動的に切り替え可能としてなる画像形成装置の操作部構造であって、上記スタートキーを配する操作パネル本体の一部を、着脱式で上記スタートキーに被せてボタン部分を露出させるカバーとして形成してなることを特徴とする画像形成装置の操作部構造。
【請求項２】
請求項１の画像形成装置の操作部構造において、上記着脱式のカバーに、上記操作パネル本体へ固定するための爪形状部を設け、上記操作パネル本体には上記爪形状部を受ける穴を設けてなることを特徴とする画像形成装置の操作部構造。
【請求項３】
請求項１または２の画像形成装置の操作部構造において、上記着脱式のカバーに、上記操作パネル本体との間に隙間を作るための分解用凹形状部を設けてなることを特徴とする画像形成装置の操作部構造。
【請求項４】
請求項１ないし３のいずれかの画像形成装置の操作部構造において、上記操作パネル本体の上記２つのスタートキーを設ける部位が、いずれのスタートキーでも入れ替え装着可能な同一または同等形状を有することを特徴とする画像形成装置の操作部構造。
【請求項５】
請求項１ないし４のいずれかの画像形成装置の操作部構造において、上記スタートキーが周縁部に鍔形状部を有し、上記着脱式のカバーの上記スタートキーを露出させる穴部の内周面で上記鍔形状部を受け止めるようにしてなることを特徴とする画像形成装置の操作部構造。
【請求項６】
請求項１ないし５のいずれかの画像形成装置の操作部構造において、上記スタートキー外周縁部に凹形状部を設け、上記操作パネル本体に上記凹形状部と嵌合可能な凸形状部を設けてなることを特徴とする画像形成装置の操作部構造。
【請求項７】
請求項１ないし６のいずれかの画像形成装置の操作部構造において、上記スタートキーの頂面に、該スタートキーの機能を示す名称や絵文字等の表示を設けてなることを特徴とする画像形成装置の操作部構造。
【請求項８】
複写機としての機能と印刷機としての機能の双方を有する画像形成装置に用い、上記両機能用の２つのスタートキーの入れ替えにより所望のキー配列を任意に選択してキー信号の割り当てを自動的に切り替え可能としてなる画像形成装置の操作部構造であって、上記スタートキーを配する操作パネル本体に上記スタートキーを直接着脱可能としてなることを特徴とする画像形成装置の操作部構造。
【請求項９】
請求項８の画像形成装置の操作部構造において、上記２つのスタートキーそれぞれに、上記操作パネル本体へ固定するための爪形状部を設け、上記操作パネル本体には上記爪形状部を受ける穴を設けてなることを特徴とする画像形成装置の操作部構造。
【請求項１０】
請求項８または９の画像形成装置の操作部構造において、上記操作パネルに、上記スタートキーとの間に隙間を作るための分解用凹形状部を設けてなることを特徴とする画像形成装置の操作部構造。
【請求項１１】
請求項８ないし１０のいずれかの画像形成装置の操作部構造において、上記操作パネル本体の上記２つのスタートキーを設ける部位が、いずれのスタートキーでも入れ替え装着可能な同一または同等形状を有することを特徴とする画像形成装置の操作部構造。
【請求項１２】
請求項８ないし１１のいずれかの画像形成装置の操作部構造において、上記スタートキーの頂面に、該スタートキーの機能を示す名称や絵文字等の表示用デカルを貼設してなることを特徴とする画像形成装置の操作部構造。
【請求項１３】
複写機としての機能と印刷機としての機能の双方を有する画像形成装置に用い、所望のキー配列を任意に選択してキー信号の割り当てを自動的に切り替え可能としてなる画像形成装置の操作部構造であって、上記操作パネル本体の一部を、着脱式のユニットとして形成してなることを特徴とする画像形成装置の操作部構造。
【請求項１４】
請求項１３の画像形成装置の操作部構造において、上記ユニットを２種類の交換ユニットとして選択可能に備えることを特徴とする画像形成装置の操作部構造。
【請求項１５】
請求項１３の画像形成装置の操作部構造において、上記ユニットを２種類備え、該２種類のユニットの一を標準ユニットとし、他を交換ユニットとして選択可能に備えることを特徴とする画像形成装置の操作部構造。
【請求項１６】
請求項１３ないし１５のいずれかの画像形成装置の操作部構造において、上記ユニットが２つのスタートキーを備えることを特徴とする画像形成装置の操作部構造。
【請求項１７】
請求項１３ないし１６のいずれかの画像形成装置の操作部構造において、上記スタートユニットの頂面に、該スタートユニットのキー名称の表示を設けてなることを特徴とする画像形成装置の操作部構造。
【請求項１８】
請求項１６または１７の画像形成装置の操作部構造において、上記ユニットが備える上記２つのスタートキーの直径を異ならせてなることを特徴とする画像形成装置の操作部構造。
【請求項１９】
請求項１６または１７の画像形成装置の操作部構造において、上記２つのスタートキーの直径を同一としてなることを特徴とする画像形成装置の操作部構造。
【請求項２０】
請求項１８の画像形成装置の操作部構造において、上記ユニットが備える上記２つのスタートキーの一が製版スタートキー、他がプリントスタートキーであり、該製版スタートが上記プリントスタートキーより大径であることを特徴とする画像形成装置の操作部構造。
【請求項２１】
請求項２０の画像形成装置の操作部構造において、上記製版スタートキーを画像形成装置本体と同色とし、上記プリントスタートキーよりも上記画像形成装置本体前面側に配置してなることを特徴とする画像形成装置の操作部構造。
【請求項２２】
請求項１６ないし２０のいずれかの画像形成装置の操作部構造において、製版スタートキーを上記プリントスタートキーよりも上記画像形成装置本体奥側に配置してなることを特徴とする画像形成装置の操作部構造。
【請求項２３】
請求項１ないし２２のいずれかの画像形成装置の操作部構造において、上記スタートキーの底面に同一形状の柱形状部を複数設け、上記２つのスタートキーごとに該柱形状部の位置をずらして配してなることを特徴とする画像形成装置の操作部構造。
【請求項２４】
請求項２３の画像形成装置の操作部構造において、上記２つのスタートキーの下方に位置する基板に上記位置の異なる柱形状部すべてに対応させてスイッチを配してなることを特徴とする画像形成装置の操作部構造。
【発明の詳細な説明】
【０００１】
【発明の属する技術分野】
本発明は、複写機としての機能と印刷機としての機能を有する画像形成装置の操作部構造に関する。
【０００２】
【従来の技術及び発明が解決しようとする課題】
複写機としての機能と印刷機としての機能の双方を有する画像形成装置に用いる操作部構造では、図１に示すように、操作パネル１に製版とプリントの２つの対等なスタートキー２、３を設けていた。これは、この種の複数機能を有する画像形成装置を複写機ユーザーへ普及させることを狙ったものである。なお図示の操作パネル１は、表示パネル４やテンキー群５外種々のキーを備えている。ところが、このような従来の操作部構造では下記のようにいろいろな不具合があった。
【０００３】
例えば、一般的な複写機ユーザーは、製版用、プリント用としてそれぞれスタートキーがあるため、どちらを操作すべきなのか等と迷って混乱しやすかった。一方、専業的な印刷機ユーザーの一部からはスタートキーが分かりにくいとの意見や、１つのスタートキーで機能を切り替えると混乱する等の指摘があった。さらに、スタートキーの機能を製版とプリントとに初期設定操作で切り替えるようにすると、設定操作がユーザーにはなかなか理解しにくかった。
【０００４】
本発明は上記従来の問題点にかんがみ、簡単な操作でキー信号の割り当てを自動で切り替えられる画像形成装置の操作部構造を提供することを目的とする。
【０００５】
【課題を解決するための手段】
本発明の請求項１に係る画像形成装置の操作部構造は、上記目的を達成するために、複写機としての機能と印刷機としての機能の双方を有する画像形成装置に用い、上記両機能用の２つのスタートキーの入れ替えにより所望のキー配列を任意に選択してキー信号の割り当てを自動的に切り替え可能としてなる画像形成装置の操作部構造であって、上記スタートキーを配する操作パネル本体の一部を、着脱式で上記スタートキーに被せてボタン部分を露出させるカバーとして形成してなることを特徴とする。
【０００６】
同請求項２に係るものは、上記目的を達成するために、請求項１の画像形成装置の操作部構造において、上記着脱式のカバーに、上記操作パネル本体へ固定するための爪形状部を設け、上記操作パネル本体には上記爪形状部を受ける穴を設けてなることを特徴とする。
【０００７】
同請求項３に係るものは、上記目的を達成するために、請求項１または２の画像形成装置の操作部構造において、上記着脱式のカバーに、上記操作パネル本体との間に隙間を作るための分解用凹形状部を設けてなることを特徴とする。
【０００８】
同請求項４に係るものは、上記目的を達成するために、請求項１ないし３のいずれかの画像形成装置の操作部構造において、上記操作パネル本体の上記２つのスタートキーを設ける部位が、いずれのスタートキーでも入れ替え装着可能な同一または同等形状を有することを特徴とする。
【０００９】
同請求項５に係るものは、上記目的を達成するために、請求項１ないし４のいずれかの画像形成装置の操作部構造において、上記スタートキーが周縁部に鍔形状部を有し、上記着脱式のカバーの上記スタートキーを露出させる穴部の内周面で上記鍔形状部を受け止めるようにしてなることを特徴とする。
【００１０】
同請求項６に係るものは、上記目的を達成するために、請求項１ないし５のいずれかの画像形成装置の操作部構造において、上記スタートキー外周縁部に凹形状部を設け、上記操作パネル本体に上記凹形状部と嵌合可能な凸形状部を設けてなることを特徴とする。
【００１１】
同請求項７に係るものは、上記目的を達成するために、請求項１ないし６のいずれかの画像形成装置の操作部構造において、上記スタートキーの頂面に、該スタートキーの機能を示す名称や絵文字等の表示を設けてなることを特徴とする。
【００１２】
同請求項８に係るものは、上記目的を達成するために、複写機としての機能と印刷機としての機能の双方を有する画像形成装置に用い、上記両機能用の２つのスタートキーの入れ替えにより所望のキー配列を任意に選択してキー信号の割り当てを自動的に切り替え可能としてなる画像形成装置の操作部構造であって、上記スタートキーを配する操作パネル本体に上記スタートキーを直接着脱可能としてなることを特徴とする。
【００１３】
同請求項９に係るものは、上記目的を達成するために、請求項８の画像形成装置の操作部構造において、上記２つのスタートキーそれぞれに、上記操作パネル本体へ固定するための爪形状部を設け、上記操作パネル本体には上記爪形状部を受ける穴を設けてなることを特徴とする。
【００１４】
同請求項１０に係るものは、上記目的を達成するために、請求項８または９の画像形成装置の操作部構造において、上記操作パネルに、上記スタートキーとの間に隙間を作るための分解用凹形状部を設けてなることを特徴とする。
【００１５】
同請求項１１に係るものは、上記目的を達成するために、請求項８ないし１０のいずれかの画像形成装置の操作部構造において、上記操作パネル本体の上記２つのスタートキーを設ける部位が、いずれのスタートキーでも入れ替え装着可能な同一または同等形状を有することを特徴とする。
【００１６】
同請求項１２に係るものは、上記目的を達成するために、請求項８ないし１１のいずれかの画像形成装置の操作部構造において、上記スタートキーの頂面に、該スタートキーの機能を示す名称や絵文字等の表示用デカルを貼設してなることを特徴とする。
【００１７】
同請求項１３に係るものは、上記目的を達成するために、複写機としての機能と印刷機としての機能の双方を有する画像形成装置に用い、所望のキー配列を任意に選択してキー信号の割り当てを自動的に切り替え可能としてなる画像形成装置の操作部構造であって、上記操作パネル本体の一部を、着脱式のユニットとして形成してなることを特徴とする。
【００１８】
同請求項１４に係るものは、上記目的を達成するために、請求項１３の画像形成装置の操作部構造において、上記ユニットを２種類の交換ユニットとして選択可能に備えることを特徴とする。
【００１９】
同請求項１５に係るものは、上記目的を達成するために、請求項１３の画像形成装置の操作部構造において、上記ユニットを２種類備え、該２種類のユニットの一を標準ユニットとし、他を交換ユニットとして選択可能に備えることを特徴とする。
【００２０】
同請求項１６に係るものは、上記目的を達成するために、請求項１３ないし１５のいずれかの画像形成装置の操作部構造において、上記ユニットが２つのスタートキーを備えることを特徴とする。
【００２１】
同請求項１７に係るものは、上記目的を達成するために、請求項１３ないし１６のいずれかの画像形成装置の操作部構造において、上記スタートユニットの頂面に、該スタートユニットのキー名称の表示を設けてなることを特徴とする。
【００２２】
同請求項１８に係るものは、上記目的を達成するために、請求項１６または１７の画像形成装置の操作部構造において、上記ユニットが備える上記２つのスタートキーの直径を異ならせてなることを特徴とする。
【００２３】
同請求項１９に係るものは、上記目的を達成するために、請求項１６または１７の画像形成装置の操作部構造において、上記２つのスタートキーの直径を同一としてなることを特徴とする。
【００２４】
同請求項２０に係るものは、上記目的を達成するために、請求項１８の画像形成装置の操作部構造において、上記ユニットが備える上記２つのスタートキーの一が製版スタートキー、他がプリントスタートキーであり、該製版スタートが上記プリントスタートキーより大径であることを特徴とする。
【００２５】
同請求項２１に係るものは、上記目的を達成するために、請求項２０の画像形成装置の操作部構造において、上記製版スタートキーを画像形成装置本体と同色とし、上記プリントスタートキーよりも上記画像形成装置本体前面側に配置してなることを特徴とする。
【００２６】
同請求項２２に係るものは、上記目的を達成するために、請求項１６ないし２０のいずれかの画像形成装置の操作部構造において、製版スタートキーを上記プリントスタートキーよりも上記画像形成装置本体奥側に配置してなることを特徴とする。
【００２７】
同請求項２３に係るものは、上記目的を達成するために、請求項１ないし２２のいずれかの画像形成装置の操作部構造において、上記スタートキーの底面に同一形状の柱形状部を複数設け、上記２つのスタートキーごとに該柱形状部の位置をずらして配してなることを特徴とする。
【００２８】
同請求項２４に係るものは、上記目的を達成するために、請求項２３の画像形成装置の操作部構造において、上記２つのスタートキーの下方に位置する基板に上記位置の異なる柱形状部すべてに対応させてスイッチを配してなることを特徴とする。
【００２９】
【発明の実施の形態】
以下本発明の実施の形態を図面を参照して説明する。なお以下では従来と共通する部分には共通する符号を付して説明する。
図２は、本発明に係る画像形成装置の操作部構造の一実施形態の要部を示す分解斜視図である。本実施形態は、操作パネル１の一部を着脱式のカバー１０とし、このカバー１０を外して２つのスタートキー（製版スタートキー１１とプリントスタートキー１２）を入れ替えるだけで複写機と印刷機の各ユーザーが最適なキー配列を任意に選択でき、機能を切り替え操作等を行わずにキー信号の割り当てが直接的に自動で切り替わるようにしたものである。
【００３０】
カバー１０は、製版スタートキー１１とプリントスタートキー１２を露出させるための一対の同形状の円形穴１３、１４を備えるとともに、長手方向上下両端には固定用の爪形状部１５、１６が設けてあり、操作パネル１のカバー１０を着脱する凹部１７には爪形状部１５、１６を差し込むための穴１８、１９が設けてある。このため、ネジ等を使わずにカバー１０を凹部１７に対して着脱できる。またカバー１０の長手方向で図中下側の端縁には、工具がなくても硬貨等で簡単に取り外し操作ができるようにするための凹部２０が設けてある。
【００３１】
図３は、カバー１０を取り外した状態の拡大斜視図（Ａ）、カバー１０及びスタートキー１１、１２の正面側斜視図（Ｂ）及びその背面側斜視図である。図示のように、操作パネル１の凹部１７内には、両スタートキー１１、１２を装着するための円形凹部２１、２２が一対設けてある。両スタートキー１１、１２、カバー１０の円形穴１３、１４及びこれら円形凹部２１、２２は同一形状としてあり、スタートキー１１、１２はどちらの円形凹部２１、２２にも装着でき、入れ替え得るようにしてある。またスタートキー１１、１２は周縁に鍔状部２３を備え、そこに複数のくぼみ２４がそれぞれ設けてある。それに対応させて円形凹部２１、２２の外周縁には凸部２５を形成して鍔状部２３のくぼみ２４と嵌合できるようにしてあり、スタートキー１１、１２が外れたり、回ったりしないように、しかも天地が逆にならず正しい向きでセット、保持できるようになっている。
【００３２】
また、スタートキー１１、１２の下面には、それぞれ２本の柱形状部２６が設けてあり、操作パネル１の凹部１５内にはこれら柱形状部２６を通すための穴２７が複数個設けてあり、さらに操作パネル１の凹部１５下側に設ける基板２８には、４個のスイッチ２９を正方形の頂点位置に配置して構成した２つのスイッチ部３０、３１がそれぞれ設けてある。スタートキー１１、１２の柱形状部２６は、各キーの向きを示す表面の文字３２、３３に関して９０度ずれた状態で、すなわち製版スタートキー１１では文字３２と平行に、プリントスタートキー１２では文字３３と直角をなすように形成してある。そのため、円形凹部２１、２２へどちらのスタートキー１１、１２を装着するかによってキー信号の割り当てを自動で切り替えられるようになっている。
【００３３】
例えば学校やチラシ業者等のようにプリントを多用するユーザーでは、図４（Ａ）に示すように製版スタートキー１１を上側（実記の配置では奥側）に、プリントスタートキー１２を下側（実記配置では手前側）に装着するとよい。一方、一般的なユーザーであれば図４（Ｂ）に示すように、プリントスタートキー１２を上側に、製版スタートキー１１を下側に装着するとよい。すなわち、業態、使用形態等に応じて最適なキー配列を任意に選択すればよい。
【００３４】
なお本実施形態では両スタートキー１１、１２とも頂面に文字３２、３３を形成して機能を表示しており、両スタートキー１１、１２の位置を入れ替えても表記の違いでこれを認識できるようにしてある。文字に代えて絵文字、絵柄等を用いても同様である。
【００３５】
図５ないし図８は、スタートキー１１、１２を入れ替える手順を示す斜視図である。図５のようにプリントスタートキー１２を上側にセットしてカバー１０を装着した状態から、図６に示すようにカバー１０の凹部２０を利用してカバー１０の下端を持ち上げ、下端側の爪形状部１６を穴１９から抜き出し、カバー１０を手前側（図の紙面で下側）へ引いて上端側の爪形状部１５を穴１８から抜き出す。図７に示すようにカバー１０を取り去った後、スタートキー１１、１２を図８に示すように入れ替え、上記とは逆の手順、動作方向でカバー１０を操作パネル１の凹部１７に装着する。
【００３６】
図９は、本発明に係る画像形成装置の操作部構造の他の実施形態の要部を示す分解斜視図、図１０はそのスイッチ部の平面図（Ａ）、スタートスイッチ１１、１２の配置例の平面図（Ｂ、Ｃ）である。本実施形態は、カバー１０の側縁に爪形状部１５ａ、１６ａを設け、凹部１７もこれに対応して側縁に穴１８ａ、１９ａを備える。また両スタートキー１１、１２は柱形状部２６の間、すなわち円形の中心位置背面に基点柱形状部２６ａを備え、凹部１５内にはこれを通すための穴２７ａを設け、スイッチ部３０、３１は正方形に配したスイッチ２８の中央位置に基点部２８ａを備えている。なおスイッチ２８の配置形態が先の実施形態とは９０度回転方向でずれており、両スタートキー１１、１２の柱形状部２６もこれにあわせて文字３１、３２に関して４５度をなすように斜めに配設してある。図１０（Ｂ）は図４（Ａ）と、図１０（Ｃ）は図４（Ｂ）と対応する配置となっている。なお、その他の構成、構造、それらの変形、あるいは操作等については、先の実施形態と同様であるので説明を省略する。
【００３７】
図１１は、本発明に係る画像形成装置の操作部構造のさらに他の実施形態の要部を示す斜視図である。本実施形態は、２つのスタートキー１１、１２を操作パネル１に対して直接着脱できるようにしたもので、操作パネル１に直接設けた円形穴の開口縁１３ａ、１４ａを図示のように外側へ向けて開く斜面状とし、さらに一部に切り欠き穴部１３ｂ、１４ｂを設け、スタートキー１１、１２の着脱作業を容易に行える構造としてある。スタートキー１１、１２には切り欠き穴部１３ｂ、１４ｂに装着する爪形状部を設けるが、図示は省略する。なおこの実施形態の構造の場合は、ドライバー等の工具でスタートキー１１、１２を取り外すことが望ましい。また本実施形態では、各スタートキー１１、１２に文字を付するのではなく、操作パネル１にスタートキー１１、１２の名称を示すデカルを貼付するための凹部３５、３６を設けてあり、デカルの入れ替えで表記の入れ替えができるようになっている。その他の基本的な構成、構造、それらの変形、あるいは操作等については、先の実施形態と同様であるので説明を省略する。
【００３８】
なお図示は省略するが、操作パネル１の一部をカバーとした上記実施形態だけでなく、上述した実施形態の基板２８とスイッチ部３０、３１以外の要素を例えば箱状の着脱式ユニットとしてまとめ、操作パネル１の一部として着脱可能にすることもできる。そして、このような着脱式のユニットを２種類、画像形成装置と同梱して出荷することで、使用場所への設置時に任意のユニットを選択できるようにしたり、２種類のユニットの一方を標準ユニットとして予め操作パネル１にセットしておき、他方を交換ユニットとしたりすることもできる。後者の場合、２種類のユニットを同梱する場合に比べると、不要であると予め分かっているユニットを梱包内容から除外できる。
【００３９】
またユニット化した場合には、スタートキー１１、１２の名称を着脱ユニットの上面に設けてキー操作で印刷文字が消えにくいようにすることができる。また主に複写機として使用する一般的なユーザー向けとして、２つのスタートキー１１、１２の直径を異ならせ、例えば一方を連続スタートキーとし、他方をプリントスタートキーとして連続スタートキーのほうを大きくすることや、連続スタートキーを画像形成装置本体と同色で装置の手前に配置することで、通常の複写機と同じ感覚で印刷機を気軽に使用できるで、複写機と同じ感覚で印刷機を気軽に使用できるようにしてもよい。
【００４０】
また主に印刷機として使用するユーザー向けに、２つのスタートキー１１、１２の直径を同一にし、製版とプリントの機能を対等に認識させ得るようにすることができる。その場合、製版スタートキーを奥側に配置することで、一般的な古いタイプの印刷機と同じキー配列にすれば、使い慣れたユーザーの混乱を防ぐことができる。その他の構成、構造、それらの変形、あるいは操作等については、図示した実施形態と同様であるので説明を省略する。
【００４１】
【発明の効果】
本発明に係る画像形成装置の操作部構造は、以上説明してきたように、操作パネルの一部をなす着脱式のカバーを外してスタートキーを入れ替えるだけで、複写機と印刷機の各ユーザーに最適なキー配列を任意に選択してキー信号の割り当てが自動で切り替わるようにすることができるという効果がある。
【００４２】
また本発明に係る画像形成装置の操作部構造は、以上説明してきたように、操作パネルから直接取り外したスタートキーを入れ替えるだけで、操作パネルを分解せずに、複写機と印刷機の各ユーザーに最適なキー配列を任意に選択してキー信号の割り当てが自動で切り替わるようにすることができるという効果がある。
【００４３】
さらに本発明に係る画像形成装置の操作部構造は、以上説明してきたように、操作パネルの一部をなす着脱式のユニットを外して入れ替えるだけで、複写機と印刷機の各ユーザーに最適なキー配列を任意に選択してキー信号の割り当てが自動で切り替わるようにすることができるという効果がある。
【図面の簡単な説明】
【図１】複写機としての機能と印刷機としての機能を有する画像形成装置の操作部構造の従来例を示す平面図である。
【図２】本発明に係る画像形成装置の操作部構造の一実施形態の要部を示す分解斜視図である。
【図３】図２の実施形態でカバーを取り外した状態の拡大斜視図（Ａ）、カバー及びスタートキーの正面側斜視図（Ｂ）及びその背面側斜視図である。
【図４】図２の実施形態でスタートキーを入れ替えた状態を示す平面図である。
【図５】図２の実施形態でスタートキーを入れ替える手順を示す斜視図である。
【図６】図２の実施形態でスタートキーを入れ替える手順を示す斜視図である。
【図７】図２の実施形態でスタートキーを入れ替える手順を示す斜視図である。
【図８】図２の実施形態でスタートキーを入れ替える手順を示す斜視図である。
【図９】本発明に係る画像形成装置の操作部構造の他の実施形態の要部を示す分解斜視図（Ａ）、スイッチ部の平面図（Ｂ）、スタートスイッチ１１、１２の配置例の平面図（Ｃ、Ｄ）である。
【図１０】図９の実施形態のスイッチ部の平面図（Ａ）、スタートスイッチ１１、１２の配置例の平面図（Ｂ、Ｃ）である。
【図１１】本発明に係る画像形成装置の操作部構造のさらに他の実施形態の要部を示す斜視図である。
【符号の説明】
１　操作パネル
５　テンキー群
１０　着脱式のカバー
１１　製版スタートキー
１２　プリントスタートキー
１３、１４　円形穴
１３ａ、１４ａ　円形穴の開口縁
１３ｂ、１４ｂ　切り欠き穴部
１５、１６、１５ａ、１６ａ　爪形状部
１７　凹部
１８、１９、１８ａ、１９ａ　穴
２０　凹部
２１、２２　円形凹部
２３　鍔状部
２４　くぼみ
２５　円形凹部の凸部
２６　柱形状部
２６ａ　基点柱形状部
２７、２７ａ　穴
２８　基板
２８ａ　基点部
２９　スイッチ
３０、３１　スイッチ部
３２、３３　文字
３５、３６　デカル貼付用の凹部
【図１】
2004098618.tif 000003
【図２】
2004098618.tif 000004
【図３】
2004098618.tif 000005
【図４】
2004098618.tif 000006
【図５】
2004098618.tif 000007
【図６】
2004098618.tif 000008
【図７】
2004098618.tif 000009
【図８】
2004098618.tif 000010
【図９】
2004098618.tif 000011
【図１０】
2004098618.tif 000012
【図１１】
2004098618.tif 000013